(57)【要約】【課題】貯玉と持玉とを別装置で管理する遊技店において、貯玉及び持玉の管理を正確に行なうこと。【解決手段】持玉を管理するカード管理装置４０と、貯玉を管理する会員管理装置５０とは、識別データと貸出レートを対応付けたレート設定データをそれぞれ有する。カード管理装置４０は、会員管理装置５０からレート設定データを取得し、カード管理装置４０と会員管理装置５０とがそれぞれ管理するレート設定データの整合性を判定して、整合性がとれていない場合には、レート設定データを更新することでレート設定データの整合性を保つ。【選択図】図１
2013244358.tif 000002
【特許請求の範囲】
【請求項１】
複数の遊技種の遊技媒体を、該遊技種を識別する識別情報とともに管理する第１の管理装置と、複数の遊技種の遊技媒体を管理する第２の管理装置とを接続された管理システムであって、
前記第１の管理装置は、
前記第２の管理装置にて前記複数の遊技種を識別するために用いる識別情報と、前記第１の管理装置が管理する識別情報との対応関係を示す情報を記憶する記憶手段と、
前記第２の管理装置から取得した情報に基づいて前記記憶手段に記憶された対応関係の整合性を判定する判定手段とを備え、
前記第２の管理装置は、
前記複数の遊技種を識別するために用いる識別情報を示す情報を出力する出力手段を備えた
ことを特徴とする管理システム。
【請求項２】
前記判定手段による判定の結果に基づいて、前記第１の管理装置又は前記第２の管理装置における前記識別情報に関連付けられた情報を更新する関連情報更新手段をさらに備えたことを特徴とする請求項１に記載の管理システム。
【請求項３】
前記第１の管理装置は、前記判定手段による判定の結果に基づいて、前記記憶手段に記憶される識別情報の対応関係を示す情報を更新する対応関係更新手段をさらに備えたことを特徴とする請求項１に記載の管理システム。
【請求項４】
前記第１の管理装置は、当日中に使用可能な遊技媒体の数を示す持遊技媒体数を前記複数の遊技種について管理し、
前記第２の管理装置は、日を跨いで使用可能な遊技媒体の数を示す貯遊技媒体数を前記複数の遊技種について管理することを特徴とする請求項１、２又は３に記載の管理システム。
【請求項５】
複数の遊技種の遊技媒体を、該遊技種を識別する識別情報とともに管理する管理装置であって、
複数の遊技種の遊技媒体を管理する他の管理装置と通信する通信手段と、
前記他の管理装置にて前記複数の遊技種を識別するために用いる識別情報と、自管理装置が管理する識別情報との対応関係を記憶する記憶手段と、
前記他の管理装置から取得した情報に基づいて前記記憶手段に記憶された対応関係の整合性を判定する判定手段と
を備えたことを特徴とする管理装置。
【請求項６】
遊技店での遊技に使用される遊技媒体を管理する管理方法であって、
複数の遊技種の遊技媒体を、該遊技種を識別する識別情報とともに管理する管理ステップと、
複数の遊技種の遊技媒体を管理する他の管理装置にて前記複数の遊技種を識別するために用いる識別情報と、前記管理ステップにより管理される識別情報との対応関係を記憶部に格納する格納ステップと、
前記他の管理装置から取得した情報に基づいて前記記憶手段に格納された対応関係の整合性を判定する判定ステップと
を含んだことを特徴とする管理方法。
【発明の詳細な説明】
【技術分野】
【０００１】
この発明は、複数の遊技種の遊技媒体を、該遊技種を識別する識別情報とともに管理する管理システム、管理装置及び管理方法に関する。
【背景技術】
【０００２】
従来、パチンコ店等の遊技店では、一律のレート（１玉あたりの単価。例えば１玉４円）で遊技客にパチンコ玉を貸し出すのが一般的であったが、最近になって、遊技店内に異なるレートの区画を設ける遊技店が増加している。例えば、遊技店内を４円コーナーの区画と１円コーナーの区画に区分し、４円コーナーの区画（以下、「４円パチンコ区画」と言う）では１玉４円でパチンコ玉を貸し出し、１円コーナーの区画（以下、「１円パチンコ区画」と言う）では１玉１円でパチンコ玉を貸し出す遊技店が存在する。
【０００３】
このように、複数のレートでパチンコ玉を貸し出す場合には、遊技客が獲得したパチンコ玉を管理する際にも該パチンコ玉のレートを考慮する必要がある。このため、特許文献１が開示する貯玉管理装置は、複数のレートにそれぞれ対応する複数の貯玉口座を対応付けて、レート別に貯玉の管理を行っている。
【０００４】
ここで、貯玉とは、遊技客が遊技において獲得した遊技媒体また当該遊技媒体数を示すデータであって、翌日以降（閉店より後の時間）も遊技に再度供することができるものである。これに対し、遊技客が遊技において獲得した遊技媒体または当該遊技媒体数を示すデータであって、その当日中（閉店より前の時間）のみ遊技に再度供することができるものは持玉と呼ばれる。複数のレートでパチンコ玉を貸し出す場合には、持玉についても複数のレートにそれぞれ対応する複数の持玉口座を対応付けて、レート別に持玉の管理を行う。
【０００５】
遊技機に併設された台間カード処理機は、持玉を管理する持玉管理装置との通信により持玉を使用可能とする。また、台間カード処理機は、貯玉管理装置との通信により、貯玉を使用可能とする。ここで、貯玉管理装置は、持玉管理装置に接続されており、台間カード処理機と貯玉管理装置との通信は持玉管理装置を介して行なわれる。
【先行技術文献】
【特許文献】
【０００６】
【特許文献１】特開２０１１−２１７８４６号公報
【発明の概要】
【発明が解決しようとする課題】
【０００７】
しかしながら、持玉管理装置と貯玉管理装置とが個別に各口座のレートを管理しているため、口座とレートとの対応関係が持玉管理装置と貯玉管理装置の間で不一致となると、貯玉及び持玉の管理を正常に行なうことができないという問題が生じる。
【０００８】
この点を具体的に説明すると、４円パチンコ区画に設けられた台間カード処理機が持玉及び貯玉を使用する場合には、持玉管理装置は、自装置が管理する複数の持玉口座のうち４円レートの持玉口座の残高を通知するとともに、貯玉管理装置に４円レートに対応する識別情報を送信することで、貯玉口座の残高の問い合わせを行なう。
【０００９】
この時、送信された識別情報が貯玉管理装置においても４円レートに対応付けられていたならば、４円レートの貯玉口座の残高が問い合わせの結果として得られる。しかし、送信された識別情報が貯玉管理装置で２円レートに対応付けられていたならば、貯玉管理装置からは２円レートの貯玉口座の残高が問い合わせの結果として送信されるので、持玉管理装置は、２円レートの貯玉口座の残高を誤って４円レートの貯玉口座の残高として台間カード処理機に通知することとなる。
【００１０】
このため、持玉管理装置と貯玉管理装置との間でレートの特定に使用される識別情報の整合性を如何にして担保し、貯玉及び持玉の管理を正確に行なうかが重要な課題となっていた。かかる課題は、パチンコ玉に限らず、スロット用のメダルなど他の遊技媒体を用いる場合にも同様に発生する。また、レートに限らず、遊技媒体の種類や、景品交換時の換金率等が異なる遊技種を個別の口座により管理する場合にも同様に発生する。
【００１１】
本発明は、上述した従来技術の課題を解消するためになされたものであって、貯玉及び持玉の管理を正確に行なうことのできる管理システム、管理装置及び管理方法を提供することを提供することを目的とする。
【課題を解決するための手段】
【００１２】
上述した課題を解決し、目的を達成するため、本発明は、複数の遊技種の遊技媒体を、該遊技種を識別する識別情報とともに管理する第１の管理装置と、複数の遊技種の遊技媒体を管理する第２の管理装置とを接続された管理システムであって、前記第１の管理装置は、前記第２の管理装置にて前記複数の遊技種を識別するために用いる識別情報と、前記第１の管理装置が管理する識別情報との対応関係を示す情報を記憶する記憶手段と、前記第２の管理装置から取得した情報に基づいて前記記憶手段に記憶された対応関係の整合性を判定する判定手段とを備え、前記第２の管理装置は、前記複数の遊技種を識別するために用いる識別情報を示す情報を出力する出力手段を備えたことを特徴とする。
【００１３】
また、本発明は、上記発明において、前記判定手段による判定の結果に基づいて、前記第１の管理装置又は前記第２の管理装置における前記識別情報に関連付けられた情報を更新する関連情報更新手段をさらに備えたことを特徴とする。
【００１４】
また、本発明は、上記発明において、前記第１の管理装置は、前記判定手段による判定の結果に基づいて、前記記憶手段に記憶される識別情報の対応関係を示す情報を更新する対応関係更新手段をさらに備えたことを特徴とする。
【００１５】
また、本発明は、上記発明において、前記第１の管理装置は、当日中に使用可能な遊技媒体の数を示す持遊技媒体数を前記複数の遊技種について管理し、前記第２の管理装置は、日を跨いで使用可能な遊技媒体の数を示す貯遊技媒体数を前記複数の遊技種について管理することを特徴とする。
【００１６】
また、本発明は、複数の遊技種の遊技媒体を、該遊技種を識別する識別情報とともに管理する管理装置であって、複数の遊技種の遊技媒体を管理する他の管理装置と通信する通信手段と、前記他の管理装置にて前記複数の遊技種を識別するために用いる識別情報と、自管理装置が管理する識別情報との対応関係を記憶する記憶手段と、前記他の管理装置から取得した情報に基づいて前記記憶手段に記憶された対応関係の整合性を判定する判定手段とを備えたことを特徴とする。
【００１７】
また、本発明は、遊技店での遊技に使用される遊技媒体を管理する管理方法であって、複数の遊技種の遊技媒体を、該遊技種を識別する識別情報とともに管理する管理ステップと、複数の遊技種の遊技媒体を管理する他の管理装置にて前記複数の遊技種を識別するために用いる識別情報と、前記管理ステップにより管理される識別情報との対応関係を記憶部に格納する格納ステップと、前記他の管理装置から取得した情報に基づいて前記記憶手段に格納された対応関係の整合性を判定する判定ステップとを含んだことを特徴とする。
【発明の効果】
【００１８】
本発明によれば、複数の遊技種の遊技媒体を、該遊技種を識別する識別情報とともに管理する第１の管理装置を、複数の遊技種の遊技媒体を管理する第２の管理装置と接続し、第１の管理装置は、第２の管理装置にて複数の遊技種を識別するために用いる識別情報と、第１の管理装置が管理する識別情報との対応関係の整合性を判定するよう構成したので、貯玉及び持玉の管理を正確に行なうことができる。
【図面の簡単な説明】
【００１９】
【図１】図１は、実施例１に係る管理装置を説明するための説明図である。
【図２】図２は、遊技店のシステム構成を示す図である。
【図３】図３は、図２に示したカード管理装置の内部構成を示すブロック図である。
【図４】図４は、記憶部が記憶するデータを説明するための説明図である。
【図５】図５は、カード管理装置による設定処理について説明するための説明図である。
【図６】図６は、カード管理装置によるレート設定データの設定に係る処理手順を示すフローチャートである。
【図７】図７は、整合性判定部による整合性の判定を説明するための説明図である。
【図８】図８は、図２に示した会員管理装置の内部構成を示すブロック図である。
【図９】図９は、記憶部が記憶するデータを説明するための説明図である。
【図１０】図１０は、実施例２に係るカード管理装置の内部構成を示すブロック図である。
【図１１】図１１は、実施例２に係る会員管理装置の内部構成を示すブロック図である。
【図１２】図１２は、実施例３に係るカード管理装置の動作を説明するための説明図である。
【図１３】図１３は、実施例３に係るカード管理装置の内部構成を示すブロック図である。
【図１４】図１４は、識別データ変換テーブルの設定に係る処理手順を示すフローチャートである。
【発明を実施するための形態】
【００２０】
以下に、添付図面を参照して、本発明に係る管理システム、管理装置及び管理方法の好適な実施例を詳細に説明する。
【実施例１】
【００２１】
まず、本実施例に係る管理装置について説明する。図１は、本実施例１に係る管理装置を説明するための説明図である。遊技店には、カード管理装置４０と会員管理装置５０とが設置される。カード管理装置４０は、プリペイド価値や持玉が対応付けられたカードを管理する装置である。会員管理装置５０は、会員に関するデータを管理する会員管理機能を有する装置である。この会員に関するデータには、貯玉等が含まれる。
【００２２】
遊技機に併設された台間カード処理機は、持玉を管理するカード管理装置４０との通信により持玉を使用可能とする。また、台間カード処理機は、会員管理装置５０との通信により、貯玉を使用可能とする。会員管理装置５０は、カード管理装置４０に接続されており、台間カード処理機と会員管理装置５０との通信はカード管理装置４０を介して行なわれる。
【００２３】
カード管理装置４０は、会員管理装置５０から貯玉口座の残高を取得する場合には、レートを識別するための識別データを送信することで、会員管理装置５０から特定のレートの貯玉口座の残高を取得する。
【００２４】
識別データとレートとの対応関係は、カード管理装置４０と会員管理装置５０とがそれぞれレート設定データとして個別に管理している。持玉及び貯玉の管理を正確に行なうためには、カード管理装置４０が管理するレート設定データと会員管理装置５０が管理するレート設定データとが一致する必要がある。
【００２５】
そこで、カード管理装置４０は、図１の（１）に示すように、会員管理装置５０が管理するレート設定データを取得し、自装置が管理するレート設定データと一致しない場合には、図１（２）に示すように自装置が管理するレート設定データを更新することで、レート設定データの整合性を確保する。
【００２６】
図１では、カード管理装置４０のレート設定データは、識別データ「１」に貸出レート「４円」を設定し、識別データ「２」に貸出レート「２円」を設定し、識別データ「３」に貸出レート「１円」を設定している。一方、会員管理装置５０のレート設定データは、識別データ「１」に貸出レート「４円」を設定し、識別データ「２」に貸出レート「１円」を設定し、識別データ「３」に貸出レート「２円」を設定している。
【００２７】
カード管理装置４０は、識別データ「２」及び「３」に設定された貸出レートが会員管理装置５０のレート設定データと異なるため、会員管理装置５０のレート設定データに合わせて自装置のレート設定データを更新している。
【００２８】
次に、遊技店のシステム構成について説明する。図２は、遊技店のシステム構成を示す図である。同図に示すように、遊技店のシステムは、複数の遊技機２０と、各遊技機２０にそれぞれ対応して設けられた台間カード処理機１０が設置される。遊技機２０及び台間カード処理機１０は、レート毎に設けられた区画にそれぞれ設置される。
【００２９】
台間カード処理機１０は、島コントローラを介して通信回線９０と接続する。通信回線９０には、島コントローラ３０と、カード管理装置４０と、精算機８０とが接続される。また、カード管理装置４０には、会員管理装置５０が接続され、会員管理装置５０には景品管理装置７０が接続される。
【００３０】
遊技機２０は、遊技玉を遊技盤面に打ち込んで遊技を行う装置である。この遊技機２０は、当該遊技盤面には、複数の入賞領域（入賞口）が設けられており、当該入賞領域を遊技玉が通過したことに基づいて所定個数の遊技玉を賞玉として付与するようになっている。また、遊技領域には、所定個数の始動領域（始動口）が設けられており、当該始動領域を遊技玉が通過したことに基づいて所定の抽選を行うこととなっている。当該抽選が大当りとなれば、所定の可動部材等の作動により、前述の入賞領域あるいは他の始動領域への遊技玉の通過確率を向上する等、遊技上有利となる作動が行われる。なお、始動領域と入賞領域を兼ねた領域があってもよい。
【００３１】
上記入賞領域には、当該入賞領域への遊技玉の通過を検出するために入賞センサが設けられており、入賞センサにより入賞領域へ打ち込まれた遊技玉の通過（入賞）を検知するようになっている。また、遊技機の制御装置は、入賞領域ごとに何個の遊技玉を賞玉として付与するかを記憶する賞玉メモリを有している。
【００３２】
したがって、打ち込んだ遊技玉の特定の入賞領域への通過が入賞センサにより検知されると、賞玉メモリの記憶内容と、入賞領域を通過した遊技玉数から付与すべき賞玉数を決定し、決定した賞玉数が払い出される。
【００３３】
台間カード処理機１０は、プリペイド価値の管理、遊技玉の貸し出し並びにカード管理装置４０との通信を行う。台間カード処理機１０は、遊技客が投入した紙幣を受け付けたならば、この紙幣分のプリペイド価値を記憶するととともに、所定の玉貸し操作がなされたならば、所定数のプリペイド価値を減算しつつ、減算したプリペイド価値分に対応する数の遊技玉を払い出す。
【００３４】
また、台間カード処理機１０は、カードを受け付けたならば、該カードに関連付けられたプリペイド価値、持玉数及び貯玉数をカード管理装置４０及び会員管理装置５０から取得して記憶する。台間カード処理機１０は、持玉再プレイ操作を受け付けると、自装置が管理する持玉数を所定数減算し、減算した持玉数に対応する数の遊技玉を払い出す。また、台間カード処理機１０は、貯玉再プレイ操作を受け付けると、自装置が管理する貯玉数を所定数減算し、減算した貯玉数に対応する数の遊技玉を払い出す。
【００３５】
台間カード処理機１０は、カード返却操作を受け付けたならば、自装置が管理するプリペイド価値、持玉数及び貯玉数をカードＩＤとともにカード管理装置４０に送信し、カードを排出する処理を行う。
【００３６】
島コントローラ３０は、遊技島に設けられた一群の遊技機２０及び台間カード処理機１０を束ねる中継装置である。カード管理装置４０は、カードのプリペイド価値及び持玉数等をカードデータとして管理する管理装置である。
【００３７】
カード管理装置４０は、台間カード処理機１０からカードＩＤとともに持玉数を受信したならばカードデータを更新し、カードＩＤとともに貯玉数を受信したならば、カードＩＤ及び貯玉数を会員管理装置５０に送信する。このとき、カード管理装置４０は、台間カード処理機１０が設置された区画のレートを識別し、対応するレートの持玉口座を更新の対象とする。また、会員管理装置５０にも台間カード処理機１０が設置された区画に対応する識別データを送信する。
【００３８】
カード管理装置４０は、台間カード処理機１０からカードＩＤを受信したならば、該カードＩＤに関連付けられた持玉数を台間カード処理機１０に通知するとともに、該カードＩＤに関連付けられた貯玉数を会員管理装置５０から取得して、台間カード処理機１０に通知する。このとき、カード管理装置４０は、台間カード処理機１０が設置された区画のレートを識別し、対応するレートの持玉口座の残高を通知する対象とする。また、会員管理装置５０にも台間カード処理機１０が設置された区画に対応する識別データを送信し、対応するレートの貯玉口座の残高を取得し、台間カード処理機１０に通知する。
【００３９】
また、カード管理装置４０は、精算機８０からカードＩＤを受信したならば、このカードＩＤに関連付けられたプリペイド価値を精算機８０に対して通知する。
【００４０】
会員管理装置５０は、遊技店に会員登録された会員の会員データを管理する管理装置である。具体的には、会員に対して発行した会員カードＩＤに関連づけて、貯玉数、ポイント、暗証番号及び氏名等を管理する。
【００４１】
会員管理装置５０は、カード管理装置４０からカードＩＤ及び識別データを受信したならば、該カードＩＤ及び識別データに対応する貯玉口座の残高をカード管理装置４０に通知する。また、会員管理装置５０は、カード管理装置４０からカードＩＤ、識別データ及び貯玉数を受信したならば、対応する貯玉口座の残高を更新する。会員管理装置５０は、景品管理装置７０からカードＩＤを受信したならば、このカードＩＤに関連付けられた貯玉口座の残高を景品管理装置７０に対して通知する。さらに、カードＩＤをカード管理装置４０に送信して持玉口座の残高を取得し、景品管理装置７０に通知する。
【００４２】
精算機８０は、プリペイド価値が対応付けられたカードが挿入されると、このカードのカードＩＤをカード管理装置４０に送信し、該カードに関連付けられたプリペイド価値を取得し、取得したプリペイド価値に相当する現金の払出を行う。
【００４３】
景品管理装置７０は、遊技店内の景品交換カウンタに併設された景品交換用の端末装置であり貯玉及び持玉の景品交換処理を行う。この景品管理装置７０には、カードのカードＩＤを読み取るリーダライタ及び景品を払い出す景品払出装置が接続されている。景品管理装置７０は、リーダライタがカードを受け付けた場合には、リーダライタで読み出したカードのカードＩＤを会員管理装置５０に送信して、該カードの持玉数及び貯玉数を要求する。
【００４４】
図２に示したシステムで玉貸しを行う場合の玉貸し処理について説明する。遊技客が台間カード処理機１０に対して玉貸し操作を行うと、台間カード処理機１０は、カード管理装置４０のローカルＩＰアドレスを宛先として指定した電文を送信する。この電文は、台間カード処理機１０に挿入されているカードのカードＩＤと、送信元である台間カード処理機１０を特定するＩＰアドレス若しくは任意の識別情報と、プリペイド価値の減算要求とを含む。
【００４５】
カード管理装置４０は、プリペイド価値の減算要求を含む電文を受信すると、該電文内のカードＩＤに関連付けられたプリペイド価値を所定値（例えば５００度数）減算してカード管理データを更新し、更新を行ったことを送信元の台間カード処理機１０に通知する。通知を受けた台間カード処理機１０は、減算したプリペイド価値に対応する数（例えば１２５玉）の遊技玉を払い出す。
【００４６】
次に、図２に示したシステムで持玉の再プレイを行う場合の持玉再プレイ処理について説明する。台間カード処理機１０は、一般カードあるいは会員カードの挿入を受け付けた場合、若しくは会員カードとして使用可能な携帯端末からカードＩＤに対応する識別情報を読み取った場合に、カード管理装置４０のローカルＩＰアドレスを宛先として指定した電文を送信する。この電文は、台間カード処理機１０に挿入されているカードのカードＩＤ（若しくは携帯端末から読み取ったカードＩＤに対応する識別情報。以降、カードＩＤという）と、送信元である台間カード処理機１０を特定するＩＰアドレス若しくは任意の識別情報と、台間カード処理機１０のレートを特定するための情報と、カード挿入通知とを含む。
【００４７】
カード管理装置４０は、会員カードについて台間カード処理機１０からカード挿入通知を受信した場合には、会員管理装置５０に対するカード挿入通知を行う。また、カード管理装置４０は、台間カード処理機１０からカード挿入通知を受信した場合には、該電文内のカードＩＤに関連付けられた持玉口座のうち、該電文により特定されたレートの持玉口座の残高を台間カード処理機１０に通知し、該口座の残高を「０」に更新する。
【００４８】
台間カード処理機１０は、カード管理装置４０から受信した持玉の残高を記憶する。そして、持玉再プレイ操作を受け付けた場合には、記憶した持玉の残高を所定数減算し、対応する数の遊技玉を払い出す。
【００４９】
台間カード処理機１０は、カード返却操作を受け付けた場合には、カード管理装置４０に対してカード排出通知を含む電文を送信する。この電文は、排出するカードのカードＩＤと、送信元である台間カード処理機１０を特定するＩＰアドレス若しくは任意の識別情報と、台間カード処理機１０のレートを特定するための情報と、持玉の残高とカード排出通知とを含む。カード管理装置４０は、カード排出通知を受け付けた場合には、該電文内のカードＩＤに関連付けられた持玉口座のうち、該電文により特定されたレートの持玉口座の残高を受信した残高の値に更新する。また、カード管理装置４０は、会員カードについて台間カード処理機１０からカード排出通知を受信した場合には、会員管理装置５０に対するカード排出通知を行う。
【００５０】
次に、図２に示したシステムで貯玉の再プレイを行う場合の貯玉再プレイ処理について説明する。台間カード処理機１０は、カードの挿入後、最初に貯玉再プレイ操作を受け付けた場合、若しくは会員カードとして使用可能な携帯端末からカードＩＤに対応する識別情報を読み取った場合に、カード管理装置４０のローカルＩＰアドレスを宛先として指定した電文を送信する。この電文は、台間カード処理機１０に挿入されているカードのカードＩＤ（若しくは携帯端末から読み取ったカードＩＤに対応する識別情報。以降、カードＩＤという）と、送信元である台間カード処理機１０を特定するＩＰアドレス若しくは任意の識別情報と、台間カード処理機１０のレートを特定するための情報と、貯玉再プレイ要求とを含む。また、貯玉再プレイに際して暗証番号の入力を要求する場合には、電文の送信前に暗証番号の入力を要求しておき、入力された暗証番号を電文に含める。
【００５１】
カード管理装置４０は、台間カード処理機１０から貯玉再プレイ要求を受信した場合には、会員管理装置５０に対する貯玉再プレイ要求を行う。この貯玉再プレイ要求には、カードＩＤと、レートとを含む。会員管理装置５０は、貯玉再プレイ要求の電文を受信した場合には、該電文内のカードＩＤに関連付けられた貯玉口座のうち、該電文により特定されたレートの貯玉口座の残高をカード管理装置４０を介して台間カード処理機１０に通知し、該口座の残高を「０」に更新する。
【００５２】
台間カード処理機１０は、カード管理装置４０を介して受信した貯玉の残高を記憶する。そして、記憶した貯玉の残高を所定数減算し、対応する数の遊技玉を払い出す。このように、一旦貯玉の残高を取得した後は、貯玉再プレイ操作を受け付けるたびに記憶した貯玉の残高を所定数減算し、対応する数の遊技玉を払い出す。ここで、残高から減算した値と払い出す遊技玉の数とを一致させてもよいが、残高から減算した値の一部を手数料として徴収し、残りの数の遊技玉を払い出してもよい。
【００５３】
台間カード処理機１０は、カード返却操作を受け付けた場合には、カード管理装置４０に送信するカード排出通知に、貯玉残高の情報を含める。カード管理装置１０は、会員管理装置５０に対するカード排出通知に、カードＩＤ、貯玉残高及びレートの情報を含める。会員管理装置５０は、カード排出通知を受け付けた場合に、該電文内のカードＩＤに関連付けられた貯玉口座のうち、該電文により特定されたレートの持玉口座の残高を受信した残高の値に更新する。
【００５４】
次に、閉店処理における持玉からの貯玉への移行について説明する。カード管理装置４０は、閉店処理時にカード管理データの持玉口座の残高を確認し、持玉の残高が「０」より大きい持玉口座が存在する場合には、該持玉口座の残高をカードＩＤ及びレートとともに会員管理装置５０に送信する。会員管理装置５０は、受信したカードＩＤ及びレートに対応する貯玉口座の残高に、受信した持玉口座の残高を加算して更新する。カード管理装置４０は、持玉口座の残高を会員管理装置５０に送信して貯玉した後、該持玉口座の残高を「０」とする。
【００５５】
次に、図２に示したカード管理装置４０の内部構成について説明する。図３は、図２に示したカード管理装置４０の内部構成を示すブロック図である。図３に示すようにカード管理装置４０は、表示部４１及び入力部４２と接続され、会員管理装置通信部４３、店舗ネットワーク通信部４４、記憶部４５及び制御部４６を有する。
【００５６】
表示部４１は、液晶パネルやディスプレイ装置等である。入力部４２は、キーボードやマウス等である。会員管理装置通信部４３は、会員管理装置５０との通信を行うためのインタフェース部である。また、店舗ネットワーク通信部４４は、通信回線９０を介して精算機８０、台間カード処理機１０、遊技機２０等との通信を行うためのインタフェース部である。
【００５７】
記憶部４５は、ハードディスク装置や不揮発性メモリ等の記憶デバイスであり、カード管理データ４５ａ及びレート設定データ４５ｂを記憶する。カード管理データ４５ａは、カードＩＤにプリペイド価値の残高と持玉数とを対応付けたデータである。レート設定データ４５ｂは、レートを識別するための識別データとレートとを対応付けたデータである。
【００５８】
制御部４６は、カード管理装置４０を全体制御する制御部であり、カード管理部４６ａ、レート設定通信部４６ｂ、整合性判定部４６ｃ及びレート設定管理部４６ｄを有する。実際には、これらの機能部に対応するプログラムを図示しないＲＯＭや不揮発性メモリに記憶しておき、これらのプログラムをＣＰＵ（Central Processing Unit）にロードして実行することにより、にそれぞれ対応するプロセスを実行させることになる。
【００５９】
カード管理部４６ａは、カード管理データ４５ａの管理を行う処理部である。カード管理部４６ａは、台間カード処理機１０、景品管理装置７０及び精算機８０と通信して、カードＩＤに対応付けられたプリペイド価値及び持玉数を更新する。
【００６０】
レート設定通信部４６ｂは、会員管理装置５０に対してレート設定データの送信を要求し、会員管理装置５０からレート設定データ受信する処理部である。整合性判定部４６ｃは、レート設定通信部４６ｂが会員管理装置５０から受信したレート設定データと、記憶部４５に記憶したレート設定データ４５ｂとを比較し、整合性がとれているか否かを判定する処理部である。
【００６１】
レート設定管理部４６ｄは、レート設定データ４５ｂを管理する処理部である。レート設定管理部４６ｄは、入力部４２による入力に基づいて、レート設定データ４５ｂの生成及び更新を行う。また、レート設定管理部４６ｄは、整合性判定部４６ｃによりレート設定データの整合性がとれていないと判定された場合には、レート設定通信部４６ｂが会員管理装置５０から受信したレート設定データに基づいてレート設定データ４５ｂを更新することにより、レート設定の整合性を確保する。
【００６２】
次に、図３に示した記憶部４５が記憶するデータの具体例について説明する。図４は、記憶部４５が記憶するデータを説明するための説明図である。図４（ａ）に示すカード管理データ４５ａは、カードＩＤに対してプリペイド価値と、３つの持玉口座「持玉１」、「持玉２」及び「持玉３」を対応付けている。
【００６３】
具体的には、図４（ａ）は、カードＩＤ「１００１」に対して、プリペイド価値「２５００」と、「持玉１」の口座残高「３０００」と、「持玉２」の口座残高「０」と、「持玉３」の口座残高「１５００」とが対応付けられた状態を示している。
【００６４】
また、図４（ｂ）に示すレート設定データ４５ｂは、識別データと、レート名称と、貸出レートと、種別とを対応付けたデータである。識別データは、レートを識別するためのデータである。この識別データは、持玉口座の特定に使用される。すなわち「持玉１」の口座は識別データ「１」に対応し、「持玉２」の口座は識別データ「２」に対応し、「持玉３」の口座は識別データ「３」に対応する。
【００６５】
また、レート名称とは、カード管理装置４０が該レートに付与した名称である。貸出レートは、１玉何円で貸出を行うかを示す。また、種別は、パチンコやスロット等、遊技の種別を示す。
【００６６】
具体的には、識別データ「１」には、レート名称「４円パチンコ」、貸出レート「４円」及び種別「パチンコ」が対応付けられている。また、識別データ「２」には、レート名称「１円パチンコ」、貸出レート「１円」及び種別「パチンコ」が対応付けられている。また、識別データ「３」には、レート名称「２円パチンコ」、貸出レート「２円」及び種別「パチンコ」が対応付けられている。
【００６７】
次に、カード管理装置４０による設定処理について説明する。図５は、カード管理装置による設定処理について説明するための説明図である。図５に示すように、自装置であるカード管理装置４０にレート設定データが設定され、他装置である会員管理装置５０もレート設定データが設定されているパターンＰ１では、カード管理装置４０は、整合性の判定処理を行う。
【００６８】
また、カード管理装置４０にレート設定データが設定され、他装置である会員管理装置５０はレート設定データが設定されていないパターンＰ２では、カード管理装置４０は、会員管理装置５０に自装置のレート設定データを送信する。このパターンＰ２では、会員管理装置５０は、カード管理装置４０から受信したレート設定データを会員管理装置５０のレート設定データとして使用することとなる。
【００６９】
また、カード管理装置４０にレート設定データが設定されておらず、他装置である会員管理装置５０にはレート設定データが設定されているパターンＰ３では、カード管理装置４０は、会員管理装置５０からレート設定データを受信して記憶する。このパターンＰ３では、カード管理装置４０は、会員管理装置５０から受信したレート設定データを使用することとなる。
【００７０】
また、カード管理装置４０にレート設定データが設定されておらず、会員管理装置５０にもレート設定データが設定されていないパターンＰ４では、カード管理装置４０は、レート設定データの入力操作画面を表示して、店員による入力を受け付ける。そして、受け付けたレート設定データを自装置で使用するとともに、会員管理装置５０にレート設定データを送信する。このパターンＰ４では、会員管理装置５０は、カード管理装置４０から受信したレート設定データを会員管理装置５０のレート設定データとして使用することとなる。
【００７１】
次に、カード管理装置４０によるレート設定データの設定に係る処理手順について説明する。図６は、カード管理装置４０によるレート設定データの設定に係る処理手順を示すフローチャートである。この処理手順は、遊技店の開店時に行う開店処理等において実行される。
【００７２】
まず、カード管理装置４０のレート設定通信部４６ｂは、会員管理装置５０に対してレート設定データの送信を要求する（ステップＳ１０１）。会員管理装置５０は、カード管理装置４０からのレート設定データ要求を受信した場合に、自装置にレート設定データを設定済みであれば該レート設定データをカード管理装置４０に送信し、自装置にレート設定データを設定済みでなければ設定要求をカード管理装置４０に送信する。
【００７３】
カード管理装置４０は、会員管理装置５０から設定要求を受信したならば（ステップＳ１０２；Ｙｅｓ）、自装置の記憶部４５にレート設定データ４５ｂが記憶されているか否かを判定する（ステップＳ１０９）。
【００７４】
自装置の記憶部４５にレート設定データ４５ｂが記憶されていなければ（ステップＳ１０９；Ｎｏ）、レート設定管理部４６ｄは、レート設定データの入力を受け付ける操作画面を表示して、店員による入力を受け付ける（ステップＳ１１０）。そして、レート設定管理部４６ｄは、店員により入力されたレート設定データをレート設定データ４５ｂとして記憶部４５に格納する（ステップＳ１１１）。
【００７５】
受け付けたレート設定データを格納した後、若しくは記憶部４５にレート設定データ４５ｂが記憶されている場合（ステップＳ１０９；Ｙｅｓ）、レート設定管理部４６ｄは、レート設定データ４５ｂを会員管理装置５０に送信して（ステップＳ１１２）、処理を終了する。会員管理装置５０は、カード管理装置４０から受信したレート設定データを記憶し、会員管理装置５０のレート設定データとして使用することとなる。
【００７６】
一方、会員管理装置５０から設定要求を受信していなければ（ステップＳ１０２；Ｎｏ）、カード管理装置４０は、会員管理装置５０からレート設定データを受信したか否かを判定し（ステップＳ１０３）、レート設定データを受信していなければ（ステップＳ１０３；Ｎｏ）、レート設定データの要求から所定時間が経過したか否かを判定する（ステップＳ１０４）。
【００７７】
そして、レート設定データの要求から所定時間が経過していなければ（ステップＳ１０４；Ｎｏ）、ステップＳ１０２に移行して設定要求を受信したか否かの判定を行う。レート設定データの要求から所定時間が経過したならば（ステップＳ１０４；Ｙｅｓ）、タイムアウトとして処理を終了する。このように、タイムアウトにより処理を終了するのは、会員管理装置５０がレート設定データを送信する機能を有さない場合に対応するためである。
【００７８】
カード管理装置４０は、会員管理装置５０からレート設定データを受信したならば（ステップＳ１０３；Ｙｅｓ）、自装置の記憶部４５にレート設定データ４５ｂが記憶されているか否かを判定する（ステップＳ１０５）。
【００７９】
自装置の記憶部４５にレート設定データ４５ｂが記憶されていなければ（ステップＳ１０５；Ｎｏ）レート設定管理部４６ｄは、会員管理装置５０から受信したレート設定データをレート設定データ４５ｂとして記憶部４５に格納して（ステップＳ１０６）、処理を終了する。
【００８０】
一方、自装置の記憶部４５にレート設定データ４５ｂが記憶されているならば（ステップＳ１０５；Ｙｅｓ）、整合性判定部４６ｃは、会員管理装置５０から受信したレート設定データと記憶部４５に記憶したレート設定データ４５ｂとの整合性を判定する。判定の結果、レート設定データが一致し、整合性がとれているならば（ステップＳ１０７；Ｙｅｓ）、カード管理装置４０は、そのまま処理を終了する。
【００８１】
レート設定データが一致せず、整合性がとれていない場合には（ステップＳ１０７；Ｎｏ）、レート設定管理部４６ｄは、レート設定データの設定を行ってレートの整合性をとり（ステップＳ１０８）、処理を終了する。レート設定データの設定は、カード管理装置４０のレート設定データ４５ｂを変更してもよいし、会員管理装置５０に対してレート設定データの変更を要求してもよい。会員管理装置５０に対してレート設定データの変更を要求した場合には、会員管理装置５０から設定完了の通知を受けたことにより、レート設定データの設定を終了する。
【００８２】
次に、整合性判定部４６ｃによる整合性の判定について説明する。図７は、整合性判定部４６ｃによる整合性の判定を説明するための説明図である。図７に示すように、整合性判定部４６ｃは、自装置であるカード管理装置４０のレート設定データと他装置である会員管理装置５０のレート設定データとを比較する。
【００８３】
図７では、識別データ「１」に対し、カード管理装置４０は、レート名称「４円パチンコ」、貸出レート「４円」及び種別「パチンコ」を対応付け、会員管理装置５０は、レート名称「４パチ」、貸出レート「４円」及び種別「パチンコ」を対応付けている。このように、同一の識別データに対してカード管理装置４０と会員管理装置５０が対応付けている貸出レート及び種別が一致するならば、整合性判定部４６ｃは、該識別データについて「一致」と判定する。ここで、レートの名称については、カード管理装置４０と会員管理装置５０とで一致することは必要ではない。
【００８４】
また、図７では、識別データ「２」に対し、カード管理装置４０は、レート名称「１円パチンコ」、貸出レート「１円」及び種別「パチンコ」を対応付け、会員管理装置５０は、レート名称「２パチ」、貸出レート「２円」及び種別「パチンコ」を対応付けている。このように、同一の識別データに対してカード管理装置４０と会員管理装置５０が対応付けている貸出レートと種別のいずれかが一致しなければ、整合性判定部４６ｃは、該識別データについて「不一致」と判定する。
【００８５】
同様に、識別データ「３」に対し、カード管理装置４０は、レート名称「２円パチンコ」、貸出レート「２円」及び種別「パチンコ」を対応付け、会員管理装置５０は、レート名称「１パチ」、貸出レート「１円」及び種別「パチンコ」を対応付けている。このため、識別データ「３」についても整合性は「不一致」となる。
【００８６】
また、図７では、カード管理装置４０は、識別データ「４」に対して対応付けを行っておらず、会員管理装置５０は識別データ「４」に対してレート名称「０．５パチ」、貸出レート「０．５円」及び種別「パチンコ」を対応付けている。このように、カード管理装置４０と会員管理装置５０のいずれかにのみ対応付けられた識別データは、「使用不可」と判定される。
【００８７】
整合性判定部４６ｃは、整合性が「不一致」又は「使用不可」と判定された識別データが一つでも存在するならば、「整合性がとれていない」と判定する。整合性がとれていない場合には、レート設定管理部４６ｄによりレート設定データの設定を行う。
【００８８】
具体的には、「カード管理装置４０のレート設定データ４５ｂを会員管理装置５０から取得したレート設定データに合わせて更新する」、「カード管理装置４０のレート設定データ４５ｂと会員管理装置５０から取得したレート設定データとともに表示部４１に表示制御して、入力部４２からの入力を受け付ける」若しくは「カード管理装置４０のレート設定データ４５ｂを会員管理装置５０に送信して、会員管理装置５０のレート設定データを更新させる」のいずれかにより、レート設定データの整合性をとる。これらのいずれを用いてレート設定データの整合性をとるかは、予め定めておいてもよいし、入力部４２からの入力により選択してもよい。
【００８９】
なお、カード管理装置４０や会員管理装置５０が使用しないレートの口座を管理している場合には、使用しないレートについては、整合性の判定対象から除外することができる。使用しない口座については、カード管理装置４０と会員管理装置５０との間で通信を行うことがないため、不整合であったとしても問題が生じないためである。また、使用しないレートについて整合性の判定を実施した場合には、不一致であってもレート設定データの変更を行なわないこととしてもよい。
【００９０】
次に、図２に示した会員管理装置５０の内部構成について説明する。図８は、図２に示した会員管理装置５０の内部構成を示すブロック図である。図８に示すように会員管理装置５０は、表示部５１及び入力部５２と接続され、景品管理装置通信部５３、カード管理装置通信部５４、記憶部５５及び制御部５６を有する。
【００９１】
表示部５１は、液晶パネルやディスプレイ装置等である。入力部５２は、キーボードやマウス等である。景品管理装置通信部５３は、景品管理装置７０との通信を行なうためのインタフェース部である。カード管理装置通信部５４は、カード管理装置４０との通信を行うためのインタフェース部である。
【００９２】
記憶部５５は、ハードディスク装置や不揮発性メモリ等の記憶デバイスであり、会員管理データ５５ａ、景品管理データ５５ｂ及びレート設定データ５５ｃを記憶する。会員管理データ５５ａは、会員に対して発行した会員カードのカードＩＤに関連づけて、貯玉、ポイント、来店回数、遊技履歴、暗証番号及び氏名等を関連付けたデータである。
【００９３】
景品管理データ５５ｂは、遊技店が提供する景品の種類や在庫を示すデータである。レート設定データ５５ｃは、レートを識別するための識別データとレートとを対応付けたデータである。
【００９４】
制御部５６は、会員管理装置５０を全体制御する制御部であり、会員管理部５６ａ、景品管理部５６ｂ、レート設定通信部５６ｃ、レート設定応答部５６ｄ及びレート設定管理部５６ｅを有する。実際には、これらの機能部に対応するプログラムを図示しないＲＯＭや不揮発性メモリに記憶しておき、これらのプログラムをＣＰＵ（Central Processing Unit）にロードして実行することにより、会員管理部５６ａ、景品管理部５６ｂ、レート設定通信部５６ｃ、レート設定応答部５６ｄ及びレート設定管理部５６ｅにそれぞれ対応するプロセスを実行させることになる。
【００９５】
会員管理部５６ａは、会員管理データ５５ａの管理を行なう処理部である。会員管理部５６ａは、カード管理装置４０及び景品管理装置７０と通信して、カードＩＤに対応付けられた貯玉数を更新する。
【００９６】
景品管理部５６ｂは、遊技店が提供する景品の種類や在庫を管理する処理部である。景品管理部５６ｂは、景品の交換や入荷などにより景品の種類や在庫が変動した場合に、景品管理データ５５ｂを更新する。
【００９７】
レート設定通信部５６ｃは、カード管理装置４０からレート設定データの送信要求を受信し、レート設定データをカード管理装置４０に送信する処理部である。レート設定応答部５６ｄは、レート設定通信部５６ｃがカード管理装置４０からレート設定データの送信要求を受信した場合に、レート設定データ５５ｃに基づいて、カード管理装置４０に応答として送信するレート設定データを生成する処理部である。具体的には、レート設定応答部５６ｄは、レート設定データ５５ｃのうち、識別データ、レート名称、貸出レート及び種別をカード管理装置４０に送信するレート設定データとして生成する。
【００９８】
レート設定管理部５６ｅは、レート設定データ５５ｃを管理する処理部である。レート設定管理部５６ｅは、入力部５２による入力に基づいて、レート設定データ５５ｃの生成及び更新を行う。
【００９９】
次に、図８に示した記憶部５５が記憶するデータの具体例について説明する。図９は、記憶部５５が記憶するデータを説明するための説明図である。図９（ａ）に示す会員管理データ５５ａは、カードＩＤに対して氏名と、４つの貯玉口座「貯玉１」、「貯玉２」、「貯玉３」及び「貯玉４」と、住所と、連絡先等とを対応付けている。
【０１００】
具体的には、図９（ａ）は、カードＩＤ「２００１」に対して、氏名「Ｂ  Ｃ」と、「貯玉１」の口座残高「２５００」と、「貯玉２」の口座残高「０」と、「貯玉３」の口座残高「５００」と、「貯玉４」の口座残高「０」と、住所「Ｄ県  Ｅ市・・・」と、連絡先「０９０−ＸＸＸＸ−ＸＸＸＸ」とが対応づけられた状態を示している。なお、図示は省略したが会員管理データ５５ａは、ポイント、来店回数、遊技履歴、暗証番号等をカードＩＤに対応付けることができる。
【０１０１】
また、図９（ｂ）に示す景品管理データ５５ｂは、景品コード「０００１」に対して、景品名「大景品」及び在庫数「１０００」等を対応付けた状態を示している。
【０１０２】
また、図９（ｃ）に示すレート設定データ５５ｃは、識別データと、レート名称と、貸出レートと、交換レートと、種別とを対応付けたデータである。識別データは、レートを識別するためのデータである。この識別データは、貯玉口座の特定に使用される。すなわち「貯玉１」の口座は識別データ「１」に対応し、「貯玉２」の口座は識別データ「２」に対応し、「貯玉３」の口座は識別データ「３」に対応し、「貯玉４」の口座は識別データ「４」に対応する。
【０１０３】
また、レート名称とは、会員管理装置５０が該レートに付与した名称である。貸出レートは、１玉何円で貸出を行うかを示す。交換レートは、特殊景品の交換時に１玉何円相当で景品交換を行うかを示す。また、種別は、パチンコやスロット等、遊技の種別を示す。
【０１０４】
具体的には、識別データ「１」には、レート名称「４パチ」、貸出レート「４円」、交換レート「３円」及び種別「パチンコ」が対応付けられている。また、識別データ「２」には、レート名称「２パチ」、貸出レート「２円」、交換レート「１．５円」及び種別「パチンコ」が対応付けられている。また、識別データ「３」には、レート名称「１パチ」、貸出レート「１円」、交換レート「０．７円」及び種別「パチンコ」が対応付けられている。また、識別データ「４」には、レート名称「０．５パチ」、貸出レート「０．５円」、交換レート「０．３円」及び種別「パチンコ」が対応付けられている。
【０１０５】
上述してきたように、本実施例１では、カード管理装置４０が会員管理装置５０からレート設定データを取得し、カード管理装置４０と会員管理装置５０とがそれぞれ管理するレート設定データの整合性を判定して、整合性がとれていない場合には、レート設定データを更新することでレート設定データの整合性を保つように構成したので、貯玉及び持玉の管理を正確に行なうことができる。また、レート設定データにおける識別データの順番が変更されないため、対応関係の認識が容易である。さらに、プリペイド価値を管理する側に情報の出力コマンドを新たに設ける必要がないので、このコマンドを利用してセキュリティの高いプリペイド価値が会員管理装置側に漏洩されることを防止できる。
【実施例２】
【０１０６】
実施例１では、カード管理装置４０が会員管理装置５０からレート設定データを取得してレート設定データの整合性を判定する構成について説明したが、会員管理装置がカード管理装置からレート設定データを取得して整合性を判定するよう構成してもよい。本実施例２では、会員管理装置がカード管理装置からレート設定データを取得して整合性を判定する構成について説明する。
【０１０７】
図１０は、実施例２に係るカード管理装置１４０の内部構成を示すブロック図である。図１０に示すように、カード管理装置１４０は、制御部４６にカード管理部４６ａ、レート設定通信部４６ｂ、レート設定応答部４６ｅ及びレート設定管理部４６ｆを有する。
【０１０８】
レート設定通信部４６ｂは、会員管理装置１５０からレート設定データの送信要求を受信し、レート設定データを会員管理装置１５０に送信する処理部である。レート設定応答部４６ｅは、レート設定通信部４６ｂが会員管理装置１５０からレート設定データの送信要求を受信した場合に、レート設定データ４５ｂに基づいて、会員管理装置１５０に応答として送信するレート設定データを生成する処理部である。具体的には、レート設定応答部４６ｅは、レート設定データ４５ｂのうち、識別データ、レート名称、貸出レート及び種別を会員管理装置１５０に送信するレート設定データとして生成する。
【０１０９】
レート設定管理部４６ｆは、レート設定データ４５ｂを管理する処理部である。レート設定管理部４６ｆは、入力部４２による入力に基づいて、レート設定データ４５ｂの生成及び更新を行う。その他の構成及び動作は、図３に示したカード管理装置４０と同様であるので、同一の構成要素には同一の符号を付して説明を省略する。
【０１１０】
図１１は、実施例２に係る会員管理装置１５０の内部構成を示すブロック図である。図１１に示すように、会員管理装置１５０は、制御部５６に会員管理部５６ａ、景品管理部５６ｂ、レート設定通信部５６ｃ、整合性判定部５６ｆ及びレート設定管理部５６ｇを有する。
【０１１１】
レート設定通信部５６ｃは、カード管理装置１４０に対してレート設定データの送信を要求し、カード管理装置１４０からレート設定データ受信する処理部である。整合性判定部５６ｆは、レート設定通信部５６ｃがカード管理装置１４０から受信したレート設定データと、記憶部５５に記憶したレート設定データ５５ｃとを比較し、整合性がとれているか否かを判定する処理部である。
【０１１２】
レート設定管理部５６ｇは、レート設定データ５５ｃを管理する処理部である。レート設定管理部５６ｇは、入力部５２による入力に基づいて、レート設定データ５５ｃの生成及び更新を行う。また、レート設定管理部５６ｇは、整合性判定部５６ｆによりレート設定データの整合性がとれていないと判定された場合には、レート設定通信部５６ｃがカード管理装置１４０から受信したレート設定データに基づいてレート設定データ５５ｃを更新することにより、レート設定の整合性を確保する。その他の構成及び動作は、図８に示した会員管理装置５０と同様であるので、同一の構成要素には同一の符号を付して説明を省略する。
【０１１３】
上述してきたように、本実施例２では、会員管理装置１５０がカード管理装置１４０からレート設定データを取得し、会員管理装置１５０とカード管理装置１４０とがそれぞれ管理するレート設定データの整合性を判定して、整合性がとれていない場合には、レート設定データを更新することでレート設定データの整合性を保つように構成したので、貯玉及び持玉の管理を正確に行なうことができる。また、会員管理装置側でレートの整合性を判定するように構成したので、動作頻度の多いカード管理装置側の制御負担を削減できる。
【実施例３】
【０１１４】
実施例１及び２では、会員管理装置とカード管理装置とがそれぞれ管理するレート設定データの整合性が取れていない場合に、レート設定データを更新することでレート設定データの整合性を保つ構成について説明したが、識別データの送受信時に識別データを変換することで貯玉及び持玉の管理を正確に行なうよう構成してもよい。
【０１１５】
図１２は、実施例３に係るカード管理装置の動作を説明するための説明図である。図１２に示すように、カード管理装置２４０は、識別データを変換する識別データ変換テーブル４５ｃを有する。
【０１１６】
具体的には、カード管理装置２４０のレート設定データ４５ｂは、識別データ「１」に貸出レート「４円」を対応付け、識別データ「２」に貸出レート「１円」を対応付け、識別データ「３」に貸出レート「２円」を対応付けている。
【０１１７】
また、会員管理装置５０のレート設定データ５５ｃは、識別データ「１」に貸出レート「４円」を対応付け、識別データ「２」に貸出レート「２円」を対応付け、識別データ「３」に貸出レート「１円」を対応付けている。
【０１１８】
すなわち、カード管理装置２４０では、貸出レート「１円」の持玉口座は、識別データ「２」に対応付けられているが、会員管理装置５０では、貸出レート「１円」の貯玉口座は、識別データ「３」に対応付けられている。そこで、カード管理装置２４０が会員管理装置５０の貸出レート「１円」の貯玉口座の残高を参照する場合には、カード管理装置２４０において貸出レート「１円」を示す識別データ「２」を識別データ「３」に変換して会員管理装置５０に送信することとなる。
【０１１９】
同様に、カード管理装置２４０では、貸出レート「２円」の持玉口座は、識別データ「３」に対応付けられているが、会員管理装置５０では、貸出レート「２円」の貯玉口座は、識別データ「２」に対応付けられている。そこで、カード管理装置２４０が会員管理装置５０の貸出レート「２円」の貯玉口座の残高を参照する場合には、カード管理装置２４０において貸出レート「２円」を示す識別データ「３」を識別データ「２」に変換して会員管理装置５０に送信することとなる。
【０１２０】
かかる変換を実現するため、識別データ変換テーブル４５ｃは、カード管理装置２４０の識別データ「１」に会員管理装置５０の識別データ「１」を対応付け、カード管理装置２４０の識別データ「２」に会員管理装置５０の識別データ「３」を対応付け、カード管理装置２４０の識別データ「３」に会員管理装置５０の識別データ「２」を対応付けている。
【０１２１】
このように、識別データ変換テーブル４５ｃを用いることで、カード管理装置２４０と会員管理装置５０との間でレート設定データの整合性が取れていない場合であっても、貯玉及び持玉の管理を正確に行なうことができる。
【０１２２】
図１３は、実施例３に係るカード管理装置２４０の内部構成を示すブロック図である。図１３に示すように、カード管理装置２４０の記憶部４５は、識別データ変換テーブル４５ｃをさらに記憶し、制御部４６は、整合性判定部４６ｃに代えて変換管理部４６ｇを有する。
【０１２３】
変換管理部４６ｇは、レート設定通信部４６ｂが会員管理装置５０から受信したレート設定データと、記憶部４５に記憶したレート設定データ４５ｂとを比較し、識別データ変換テーブル４５ｃを生成して記憶部４５に格納する処理を行なう。
【０１２４】
また、変換管理部４６ｇは、カード管理装置２４０が会員管理装置５０から貯玉口座の残高を取得する場合に、会員管理装置５０に送信する識別データを識別データ変換テーブル４５ｃに基づいて変換する処理を行なう。
【０１２５】
具体的には、カード管理装置２４０は、台間カード処理機１０から受信したカードＩＤに基づいて持玉口座の残高と貯玉口座の残高を台間カード処理機１０に通知する際に、持玉口座については台間カード処理機１０の設置区画に対応する識別データにより特定された持玉口座の残高を通知する。そして、貯玉口座については台間カード処理機１０の設置区画に対応する識別データを識別データ変換テーブル４５ｃにより変換した上で会員管理装置５０に送信し、貯玉口座の残高を取得して、台間カード処理機１０に通知する。
【０１２６】
また、変換管理部４６ｇは、会員管理装置５０がカード管理装置２４０から持玉口座の残高を取得する場合に、会員管理装置５０から受信した識別データを識別データ変換テーブル４５ｃに基づいて変換する処理を行なう。
【０１２７】
具体的には、カード管理装置２４０は、会員管理装置５０から識別データとカードＩＤを受信した場合には、識別データを識別データ変換テーブル４５ｃにより変換して対応する持玉口座を特定し、特定した持玉口座の残高を会員管理装置５０に通知する。
【０１２８】
その他の構成及び動作については、図３に示したカード管理装置４０と同様であるので、同一の構成要素には同一の符号を付して説明を省略する。
【０１２９】
次に、識別データ変換テーブル４５ｃの設定に係る処理手順について説明する。図１４は、識別データ変換テーブル４５ｃの設定に係る処理手順を示すフローチャートである。この処理手順は、遊技店の開店時に行う開店処理等において実行される。
【０１３０】
まず、カード管理装置２４０のレート設定通信部４６ｂは、会員管理装置５０に対してレート設定データの送信を要求する（ステップＳ２０１）。会員管理装置５０は、カード管理装置２４０からのレート設定データ要求を受信した場合に、自装置にレート設定データを設定済みであれば該レート設定データをカード管理装置２４０に送信し、自装置にレート設定データを設定済みでなければ設定要求をカード管理装置２４０に送信する。
【０１３１】
カード管理装置２４０は、会員管理装置５０から設定要求を受信したならば（ステップＳ２０２；Ｙｅｓ）、自装置の記憶部４５にレート設定データ４５ｂが記憶されているか否かを判定する（ステップＳ２０９）。
【０１３２】
自装置の記憶部４５にレート設定データ４５ｂが記憶されていなければ（ステップＳ２０９；Ｎｏ）、レート設定管理部４６ｄは、レート設定データの入力を受け付ける操作画面を表示して、店員による入力を受け付ける（ステップＳ２１０）。そして、レート設定管理部４６ｄは、店員により入力されたレート設定データをレート設定データ４５ｂとして記憶部４５に格納する（ステップＳ２１１）。
【０１３３】
受け付けたレート設定データを格納した後、若しくは記憶部４５にレート設定データ４５ｂが記憶されている場合（ステップＳ２０９；Ｙｅｓ）、レート設定管理部４６ｄは、レート設定データ４５ｂを会員管理装置５０に送信して（ステップＳ２１２）、処理を終了する。会員管理装置５０は、カード管理装置２４０から受信したレート設定データを記憶し、会員管理装置５０のレート設定データとして使用することとなる。
【０１３４】
一方、会員管理装置５０から設定要求を受信していなければ（ステップＳ２０２；Ｎｏ）、カード管理装置２４０は、会員管理装置５０からレート設定データを受信したか否かを判定し（ステップＳ２０３）、レート設定データを受信していなければ（ステップＳ２０３；Ｎｏ）、レート設定データの要求から所定時間が経過したか否かを判定する（ステップＳ２０４）。
【０１３５】
そして、レート設定データの要求から所定時間が経過していなければ（ステップＳ２０４；Ｎｏ）、ステップＳ２０２に移行して設定要求を受信したか否かの判定を行う。レート設定データの要求から所定時間が経過したならば（ステップＳ２０４；Ｙｅｓ）、タイムアウトとして処理を終了する。このように、タイムアウトにより処理を終了するのは、会員管理装置５０がレート設定データを送信する機能を有さない場合に対応するためである。
【０１３６】
カード管理装置２４０は、会員管理装置５０からレート設定データを受信したならば（ステップＳ２０３；Ｙｅｓ）、自装置の記憶部４５にレート設定データ４５ｂが記憶されているか否かを判定する（ステップＳ２０５）。
【０１３７】
自装置の記憶部４５にレート設定データ４５ｂが記憶されていなければ（ステップＳ２０５；Ｎｏ）、レート設定管理部４６ｄは、会員管理装置５０から受信したレート設定データをレート設定データ４５ｂとして記憶部４５に格納して（ステップＳ２０６）、処理を終了する。
【０１３８】
一方、自装置の記憶部４５にレート設定データ４５ｂが記憶されているならば（ステップＳ２０５；Ｙｅｓ）、変換管理部４６ｇは、会員管理装置５０から受信したレート設定データと記憶部４５に記憶したレート設定データ４５ｂとを用いて識別データ変換テーブル４５ｃを生成して記憶部４５に格納し（ステップＳ２０７）、処理を終了する。
【０１３９】
上述してきたように、本実施例３では、カード管理装置２４０が会員管理装置５０からレート設定データを取得し、カード管理装置２４０と会員管理装置５０とがそれぞれ管理するレート設定データから識別データ変換テーブル４５ｃを生成し、識別データの送受信時に識別データ変換テーブル４５ｃに基づいて識別データを変換するよう構成したので、貯玉及び持玉の管理を正確に行なうことができる。また、レート設定データ自体は変更されないため、データ化けの生じる可能性が低くなる。
【０１４０】
なお、本実施例３では、カード管理装置側で識別データの変換を行なう構成について説明したが、会員管理装置側で識別データの変換を行なってもよい。会員管理装置側で識別データの変換を行なう場合には、カード管理装置の構成は実施例１と同様となり、会員管理装置の制御部が変換管理部を有することとなる。
【０１４１】
また、上述の実施例１〜３では、パチンコ玉を遊技媒体として用いる場合を例に説明を行なったが、遊技媒体はパチンコ玉に限定されるものではなく、メダル等の任意の遊技媒体を用いる場合に適用可能である。また、種類の異なる遊技媒体を併用する場合には、遊技媒体の種類毎に口座を設けて識別データを対応付けて管理することで、本発明を適用可能である。
【０１４２】
また、上述の実施例１〜３では、貸出レートの数値が一致するか否かにより整合性の判定を行っていたが、かかる判定に消費税等によるずれを勘案することとしてもよい。例えば、カード管理装置側では消費税に対応した「４．２」円と設定し、会員管理装置側では消費税を含まず「４円」と設定している場合であれば、一致すると判定する。具体的には、判定を行う側の装置が消費税率を記憶しておき、自装置のレート設定が消費税対応であるか否かを判定し、消費税対応である場合には、他装置のレート設定が消費税を含まない値であっても一致と判定すればよい。
【０１４３】
また、上述の実施例１〜３では、貸出レートの異なる遊技種にそれぞれ識別データを対応付ける場合について説明を行なったが、貸出レートが同一であっても、交換レートが異なる場合等には、個別の遊技種として識別データを対応付けることで、本発明を適用可能である。
【０１４４】
また、上述の実施例１〜３では、遊技媒体数を関連付ける媒体であるカードの形態についての詳細な説明を省略したが、かかるカードには、磁気カード、ＩＣカード等が含まれる。また、ここでは説明の便宜上「カード」を例にとって説明したが、かかるカード以外に、チップ、スティック、携帯端末等を用いる場合に本発明を適用することもできる。特に、ＩＣチップ付携帯端末を媒体として用いる場合は、当該携帯端末のＩＣチップから非接触にて取得可能な識別情報を用いて携帯端末を一意に識別できるため、当該識別情報に関連付けて遊技媒体数を管理することができる。
【０１４５】
また、上述の実施例１〜３で図示した各構成は機能概略的なものであり、必ずしも物理的に図示の構成をされていることを要しない。すなわち、各装置の分散・統合の形態は図示のものに限られず、その全部または一部を各種の負荷や使用状況などに応じて、任意の単位で機能的または物理的に分散・統合して構成することができる。
【産業上の利用可能性】
【０１４６】
以上のように、本発明に係る管理システム、管理装置及び管理方法は、遊技店における貯玉及び持玉の管理に有用である。
【符号の説明】
【０１４７】
１０  台間カード処理機
２０  遊技機
３０  島コントローラ
４０、１４０、２４０  カード管理装置
４１、５１  表示部
４２、５２  入力部
４３  会員管理装置通信部
４４  店舗ネットワーク通信部
４５、５５  記憶部
４５ａ  カード管理データ
４５ｂ、５５ｃ  レート設定データ
４５ｃ  識別データ変換テーブル
４６、５６  制御部
４６ａ  カード管理部
４６ｂ、５６ｃ  レート設定通信部
４６ｃ、５６ｆ  整合性判定部
４６ｄ、４６ｆ、５６ｅ、５６ｇ  レート設定管理部
４６ｅ、５６ｄ  レート設定応答部
４６ｇ  変換管理部
５０、１５０  会員管理装置
５３  景品管理装置通信部
５４  カード管理装置通信部
５５ａ  会員管理データ
５５ｂ  景品管理データ
５６ａ  会員管理部
５６ｂ  景品管理部
７０  景品管理装置
８０  精算機
９０  通信回線
【図１】
2013244358.tif 000003
【図２】
2013244358.tif 000004
【図３】
2013244358.tif 000005
【図４】
2013244358.tif 000006
【図５】
2013244358.tif 000007
【図６】
2013244358.tif 000008
【図７】
2013244358.tif 000009
【図８】
2013244358.tif 000010
【図９】
2013244358.tif 000011
【図１０】
2013244358.tif 000012
【図１１】
2013244358.tif 000013
【図１２】
2013244358.tif 000014
【図１３】
2013244358.tif 000015
【図１４】
2013244358.tif 000016